(57)【特許請求の範囲】
【請求項１】
軸筒（２）後端より突出するノック棒（７）を軸方向前方に押圧操作した際、軸筒（２）の外面より径方向外方に突出した係止突起（５１）が、レフィル（３）の前方移動と共に前方移動してクリップ（４）前端内面の係止段部（４２）に係合し、一方、クリップ（４）を持ち上げた際、前記係合状態が解除され、レフィル（３）の後方移動と共に前記係止突起（５１）が後方移動するセーフティ機構を有するノック式筆記具であって、前記係止突起（５１）の後方に、径方向外方に突出するガイド突起（５２）を設け、前記ガイド突起（５２）を前記係止突起（５１）と一定間隔を維持しながら前後方向に移動可能にし、クリップ（４）前端内面に、径方向内方に突出し且つ係止段部（４２）を備えた挟持突起（４１）を設け、前記係止段部（４２）と前記係止突起（５１）とが係合状態の際、前記ガイド突起（５２）前面と前記挟持突起（４１）後面が近接してなることを特徴とするノック式筆記具。
【請求項２】
前記ガイド突起（５２）が、前記係止突起（５１）よりも径方向外方に大きく突出してなる請求項１記載のノック式筆記具。
【発明の詳細な説明】
【０００１】
【発明の属する技術分野】
本発明はノック式筆記具に関する。詳細には、ノック操作によってレフィルのペン先を軸筒先端より突出させるとともに、万一、筆記具をペン先突出状態でポケット等に差し入れたとしても、係合状態を解除してペン先を軸筒内に没入させ、衣服等を汚すことを防止するクリップセーフティ機構を備えたノック式筆記具に関する。
【０００２】
尚、本発明で「前」とはペン先側を指し、「後」とはノック操作側を指す。
【０００３】
【従来の技術】
従来、実公昭６３−３１９８７号公報には、「軸筒後端に押圧子を有し、軸筒内に前後動自在に嵌挿された筆記体（本願のレフィルに相当）を該押圧子に付勢する如くなしたノック式筆記具に於てクリップ先端に係止孔４ａ（本願の係止段部に相当）を設け、該係止孔に対向した位置の軸筒に孔を設け、前記押圧子と連動する係合部２ｂ’（本願の係止突起に相当）を該孔から突出させ前記クリップの係止孔４ａに係脱することを特徴とするノック式筆記具の筆記体出入装置。」が開示されている。（図９参照）
【０００４】
【発明が解決しようとする課題】
前記従来の筆記具は、図９に示すように、係止突起２ｂ’の係合面が、クリップの係止段部４ａと確実な係合をなすように垂直面形状（又は鉤形状）となっている。そのため、縫製の被挟持体９（例えば、衣服等の布製のポケット、又はバインダー手帳等の皮革製の挿入用リング等）に差し入れた後、筆記具を被挟持体９から抜き取る際、係止突起を被挟持体９の端縁の折り返し部９１（縫合箇所）に引っ掛けやすく、それにより、前記折り返し部９１を損傷させるおそれがある。
【０００５】
本発明は前記従来の問題点を解決するものであって、衣服等の縫合された折り返し部を有する被挟持体に差した後、該被挟持体から筆記具を抜き取る際、係止突起が被挟持体端縁の折り返し部（縫合箇所）に引っ掛かることがなく、スムーズに抜き取ることができ、その結果、被挟持体の損傷が回避されるノック式筆記具を提供しようとするものである。
【０００６】
【課題を解決するための手段】
［１］本発明は、軸筒２後端より突出するノック棒７を軸方向前方に押圧操作した際、軸筒２の外面より径方向外方に突出した係止突起５１が、レフィル３の前方移動と共に前方移動してクリップ４前端内面の係止段部４２に係合し、一方、クリップ４を持ち上げた際、前記係合状態が解除され、レフィル３の後方移動と共に前記係止突起５１が後方移動するクリップセーフティ機構を有するノック式筆記具１であって、前記係止突起５１の後方に、径方向外方に突出するガイド突起５２を設け、前記ガイド突起５２を前記係止突起５１と一定間隔を維持して前後方向に移動可能（連動可能）にし、クリップ４前端内面に、径方向内方に突出し且つ係止段部４２を備える挟持突起４１を設け、前記係止段部４２と前記係止突起５１とが係合状態の際、前記ガイド突起５２前面と前記挟持突起４１後面が近接してなること（請求項１）を要件とする。（図３及び図６参照）
【０００７】
（作用）
係止突起５１の後方に位置するガイド突起５２によって、被挟持体９の折り返し部９１の前端部が係止突起５１の後面に引っ掛かることを抑止する。さらに、前記ガイド突起５２と前記係止突起５１とが一定間隔を維持して連動する構成のため、前記係止突起５１の後方には、常に一定間隔をおいて前記ガイド突起５２が位置している。したがって、前記係止突起５１と前記ガイド突起５２との間の距離が広がることがないので、前記係止突起５１と前記ガイド突起５２との間に被挟持体９の折り返し部９１が入り込み難く、折り返し部９１の前端部が係止突起５１に引っ掛かることを、より一層回避できる。（図２参照）
前記ガイド突起５２前面と前記挟持突起４１後面を近接させることによって、ガイド突起５２後面と係止突起５１前面との間隙をできる限り小さくし、より一層、被挟持体９の端縁の折り返し部９１が、前記係止突起５１と前記ガイド突起５２との間に入り込み難く、前記ガイド突起５２後面から前記係止突起５１前面へ前記係止突起５１後面を飛び越えて滑らかに移動でき、折り返し部９１の前端部が前記係止突起５１に引っかかることを、より一層、回避する。
また、前記ガイド突起５２前面と係止突起５１後面との間の間隙Ｌ（長手方向の最大寸法）は、１ｍｍ〜５ｍｍの範囲が好ましい。なぜなら、もし、前記間隙が１ｍｍより小さい場合、係止突起５１と係止段部４２との係合が不安定となり、一方、もし、前記間隙が５ｍｍより大きい場合、被挟持体９の折り返し部９１に対する引っ掛かり抑止作用が不十分となるからである。
また、前記ガイド突起５２の後面は、傾斜面又は曲面であることが好ましい。それにより、ガイド突起５２と被挟持体９の端縁の折り返し部９１の前端部との引っ掛かりを、より一層抑止できる。
【０００８】
［２］前記請求項１のノック式筆記具１において、前記ガイド突起５２が、前記係止突起５１よりも径方向外方に大きく突出してなること（請求項２）が好ましい。
【０００９】
（作用）
前記ガイド突起５２は、前記係止突起５１の後方に位置し、かつ、前記係止突起５１よりも径方向外方に大きく突出している。そのため、クリップ４を衣服等の縫合された折り返し部９１を有する被挟持体９に差した後、該被挟持体９から筆記具１を抜き取る際、前記ガイド突起５２によって係止突起５１が被挟持体９端縁の折り返し部９１（詳細には折り返し部９１の前端部）に引っ掛かることを抑え、より一層、筆記具１をスムーズに抜き取ることができる。（図２参照）
【００１０】
【００１１】
【００１２】
【００１３】
【００１４】
【発明の実施の形態】
本発明の実施の形態を図面に従って説明する。
【００１５】
図１〜図８に本発明の一実施例を示す。本実施例のノック式筆記具１は、軸筒２と、該軸筒２内に収容されたレフィル３と、該レフィル３のペン先３１を軸筒２の先端孔２２（具体的には、軸筒２前端に螺合により取り外し自在の先体２１の先端孔２２）より出没自在にさせる出没機構とを備える。また、前記出没機構は、筆記具１のクリップ４をペン先突出状態でポケット等に差し入れた際に、ペン先突出状態を解除してペン先３１を軸筒２内に没入させるクリップセーフティ機構を有する。
【００１６】
（出没機構）
前記出没機構は、回転カム機構を用いたノック式出没機構であり、軸筒２内に配置された円筒状のカム筒５と、該カム筒５のカム部と係合し且つレフィル３後端と当接する回転子６と、該回転子６と係合し且つ軸筒２後端より突出するノック棒７と、軸筒２内に収容され且つレフィル３を後方へ付勢する弾発体８（例えば、コイルスプリング）とからなる。また、前記出没機構は、ペン先突出操作、及びペン先没入操作の両操作が、ノック棒７を前方へ押圧するダブルノック式である。
【００１７】
（セーフティ機構）
前記セーフティ機構は、軸筒２外面より突出する係止突起５１を外面に備えたカム筒５と、前記係止突起５１と係合する係止段部４２を内面に備えたクリップ４とからなる。前記カム筒５は、軸筒２内に前後動自在に収容されている。また、前記クリップ４は、軸筒２外面に固定されている。
【００１８】
（クリップ）
前記クリップ４は、具体的には、合成樹脂の射出成形により得られ、軸筒２外面より一体に突出している。前記クリップ４の前端近傍内面には、挟持突起４１が一体に設けられる。前記挟持突起４１は、前面及び後面が曲面状となっていると共に、その前部内面に係止段部４２が形成されている。
【００１９】
（カム筒）
前記カム筒５は、円筒体であり、前進後退可能なよう軸筒２内に摺動可能に収容される。前記カム筒５の外面には、係止突起５１及びガイド突起５２が一体に設けられる。また、前記クリップ４の径方向内面と対峙する軸筒２側壁にはスライド孔２３が貫設され、前記スライド孔２３を通して、前記係止突起５１及び前記ガイド突起５２が軸筒２内面から軸筒２外面に摺動可能に突出している。
【００２０】
前記係止突起５１は、鉤形状であり、クリップ４の係止段部４２と係合可能である。また、前記ガイド突起５２は、前記係止突起５１の後方に位置し、前記係止突起５１より径方向外方に大きく突出し、前面及び後面に傾斜面、頂部に曲面を備えた山形状である。
【００２１】
（セーフティ機構の作用）
図３又は図６に示すように、通常の筆記使用時（即ち、セーフティ機構の非作動状態）、カム筒５の係止突起５１と、クリップ４の係止段部４２とが係合している。この時、ガイド突起５２前面と挟持突起４１後面が近接している。
【００２２】
そして、図３又は図６の状態から、被挟持体９に筆記具１のクリップ４を差した際、クリップ４が径方向外方に持ち上げられることによりセーフティ機構が作動し、前記係止突起５１と前記係止段部４２の係合が解除され、弾発体８の後方付勢によるカム筒５の後方移動に伴い、係止突起５１及びガイド突起５２がスライド孔２３内面に沿って後方に移動する。その結果、ペン先３１が軸筒２内に没入される。
【００２３】
（ガイド突起の作用）
縫合された被挟持体９の端縁の内側に折り返し部９１が存在する場合、図２に示すように、筆記具１のクリップ４をポケットに差し入れたとしても、筆記具１を被挟持体９から抜き取る際に、前記折り返し部９１の前端部は、ガイド部の後面と滑らかに前方に摺動し、係止突起５１の後面に引っ掛かることなしに、筆記具１を円滑に被挟持体９から抜き取ることができる。
【００２４】
また、クリップ４内面と挟持突起４１の後面の境目には、凹曲面４３が設けられる。これにより、もし、図２（内面に折り返し部９１を有する被挟持体）とは逆に、外面に折り返し部９１を有する被挟持体９に差し入れた場合、挟持突起４１後面に、折り返し部９１の前端部が引っ掛かることがなく、筆記具１をスムーズに抜き去ることができる。
【００２５】
（カム筒）
図７及び図５に示すように、前記カム筒５は、その内面に、前記回転子６が係合するカム部を備える。前記カム部は、前方へ突出する鋸歯状の複数のカム歯５３と、該カム歯５３間に形成した３本の縦溝５４とからなる。
【００２６】
（回転子）
図８（ｂ）に示すように、前記回転子６は、その外面に長手方向に延びる３本の突条６１を備え、前記突条６１の傾斜面状の後端部６１ａが、前記カム筒５のカム歯５３と係合されると共に、前記突条６１の長手方向に延びる側面部６１ｂが、前記カム筒５の縦溝５４と係合する。また、前記回転子６は、軸筒２内の弾発体８により、レフィル３と共に後方に付勢されている。また、前記突条６１の後端部６１ａより後方には、小径部６２が設けられ、該小径部６２がノック棒７内に遊挿されている。
【００２７】
（ノック棒）
図８（ａ）及び図２に示すように、前記ノック棒７は、有底筒状体であり、前端に鋸歯状の複数のカム歯７１を備える。前記カム歯７１は、少なくとも、ノック操作時、前記回転子６の突条６１の傾斜面状の後端部６１ａと係合可能である。
【００２８】
（出没機構の作用）
・突出操作
ペン先３１を没入状態（図６）から突出状態（図３）にする際、軸筒２後端より突出のノック棒７の後端部を前方へ押圧操作する。このとき、ノック棒７前端のカム歯７１と、レフィル３後端に当接する回転子６に形成した突条６１の傾斜面状の後端部６１ａとが係合する。そのため、前記押圧操作と同時に、前記回転子６が、その突条６１の側面部６１ｂをカム筒５の縦溝５４内を摺動させながら、前方に移動される。その後、前記突条６１が前記縦溝５４から前方に抜け出し、前記回転子６が回転方向にフリーとなる。この時、ノック棒７のカム歯７１と回転子６の後端部６１ａとの係合によって、回転子６が回転方向に僅かに送られるため、突条６１の後端部６１ａがカム筒５のカム歯５３と係止される。前記回転子６の前方移動に伴って、レフィル３が、弾発体８の前方付勢に抗して前方に押圧され、軸筒２の先端孔２２から前方にペン先３１が突出される。前記突条６１の後端部６１ａとカム筒５のカム歯５３との係止によって、ペン先突出状態が維持される。
【００２９】
・没入操作
ペン先３１を突出状態（図３）から没入状態（図６）にする際、前記突出操作同様、軸筒２後端より突出のノック棒７の後端部を前方へ押圧操作する。このとき、ノック棒７の前端のカム歯７１と、レフィル３後端に当接する回転子６に形成した突条６１の傾斜面状の後端部６１ａとが係合する。そのため、前記押圧操作と同時に、回転子６が回転方向に僅かに送られ、突条６１の後端部６１ａとカム筒５のカム歯５３との係合が解除される。前記回転子６は、レフィル３を介して弾発体８により後方へ付勢されているため、前記突条６１の後端部６１ａとカム筒５のカム歯５３との係合解除と同時に、突条６１の縦溝５４に沿った後方移動に伴い、回転子６が後方に移動される。即ち、レフィル３が後方に移動され、先端孔２２より前方に突出していたペン先３１が軸筒２内に没入される。
【００３０】
（レフィル）
前記レフィル３は、先端にボールペンペン先（例えば、先端に外径０．３ｍｍのボールを抱持したボールペンチップ）を備え、内部に油性インキ又は水性インキと、該インキの消費に従って前進する追従体（例えば、シリコンオイル等の高粘度流体）とを収容したボールペンカートリッジである。前記レフィル３は、軸筒２前端に螺着された先体２１（前端に先端孔２２を有する先細状筒体）を取り外すことにより、軸筒２内から取り出して交換可能である。また、前記先体２１の内面の段部が、前記レフィル３を前方付勢する弾発体８を保持している。
【００３１】
尚、本発明において、前記係止突起５１の後面は、鉤形状の他にも、例えば、垂直面形状でもよい。
【００３２】
尚、本発明において、前記係止段部４２は、挟持突起４１に設ける構成の他にも、例えば、クリップ４内面に単に凹みや孔を設けた構成でもよい。
【００３３】
尚、本発明において、ペン先３１は、ボールペンペン体の他にも、繊維ペン体、多孔質ペン体、軸方向のインキ導出路を備えたプラスチック押出成形製ペン体、細管ペン体、先端に切り割りを有する板状ペン体（いわゆる万年筆のペン先）、シャープペンシル等、いずれであってもよい。
【００３４】
尚、本発明において、前記クリップ４の材質は、合成樹脂製の他、金属製でもよい。また、クリップ４は、軸筒２と一体に形成してもよいが、軸筒２と独立した別部材の取り付けにより形成してもよい。
【００３５】
【発明の効果】
本発明ノック式筆記具は、前記請求項１の構成により、縫合された折り返し部を有する被挟持体に差し入れた後、該被挟持体から筆記具を抜き取る場合、ガイド突起によって、係止突起が被挟持体の折り返し部に引っ掛かからず、スムーズに被挟持体から筆記具を抜き取ることができ、被挟持体を損傷することが回避できる。本発明ノック式筆記具は、前記請求項１の構成により、ガイド突起と被挟持体の折り返し部の前端部との引っ掛かりを、より一層、抑止する。
【００３６】
本発明ノック式筆記具は、前記請求項２の構成により、被挟持体の折り返し部の前端部が前記係止突起に引っ掛かることを、より一層、回避する。
【００３７】
【図面の簡単な説明】
【図１】本発明の一実施例のペン先没入状態（セーフティ機構作動後の状態・クリップ係合解除状態）の縦断面図である。
【図２】図１の作用を説明する要部拡大縦断面図である。
【図３】図１の実施例のペン先突出状態の縦断面図である。
【図４】図３のＡ−Ａ線拡大断面図である。
【図５】図３のＢ−Ｂ線拡大断面図である。
【図６】図１の実施例のペン先没入状態（セーフティ機構作動前の状態・クリップ係合状態）の縦断面図である。
【図７】図１のカム筒の拡大縦断面図である。
【図８】（ａ）は図１のノック棒の拡大図であり、（ｂ）は図１の回転体の拡大図である。
【図９】従来の例を示す図である。
【符号の説明】
１ ノック式筆記具
２ 軸筒
２１ 先体
２２ 先端孔
２３ スライド孔
３ レフィル
３１ ペン先
４ クリップ
４１ 挟持突起
４２ 係止段部
４３ 凹曲面
５ カム筒
５１ 係止突起
５２ ガイド突起
５３ カム歯
５４ 縦溝
６ 回転子
６１ 突条
６１ａ 後端部
６１ｂ 側面部
６２ 小径部
７ ノック棒
７１ カム歯
８ 弾発体
９ 被挟持体
９１ 折り返し部
Ｌ 間隙
【図１】
0004093650.tif 000002
【図２】
0004093650.tif 000003
【図３】
0004093650.tif 000004
【図４】
0004093650.tif 000005
【図５】
0004093650.tif 000006
【図６】
0004093650.tif 000007
【図７】
0004093650.tif 000008
【図８】
0004093650.tif 000009
【図９】
0004093650.tif 000010